(57)【特許請求の範囲】
【請求項１】
回転陽極ターゲットを支持する回転部と、この回転部に対して同軸上に配置された固定部との間に軸方向に所定の距離を隔てて配置される第１および第２の転がり軸受を有し、
上記第１の転がり軸受と第２の転がり軸受の間に配置されると共に上記第１および第２の転がり軸受の内輪同士または外輪同士を相互に軸方向に付勢するスプリングを備えると共に、
上記第１、第２の転がり軸受のいずれか一方は、内輪または外輪のいずれか一方が上記回転部または固定部のいずれか一方に軸方向に沿って摺動可能に設けられ、
上記回転部または固定部のいずれか一方に対して摺動する上記内輪または外輪のいずれか一方の摺動面に、この摺動面を滑らかに摺動させるためのダイヤモンドライクカーボンの薄膜がコーティングされており、上記摺動面は面取りが形成され、この面取りの角がダイヤモンドライクカーボンで覆われていることを特徴とする回転陽極Ｘ線管。
【発明の詳細な説明】
【０００１】
【発明の属する技術分野】
この発明は、陽極を回転させる回転陽極Ｘ線管に関する。
【０００２】
【従来の技術】
従来、回転陽極Ｘ線管としては、図３に示すものがある。この回転陽極Ｘ線管は、回転陽極ターゲット１０１が固定された回転円筒１０２と、この回転円筒１０２の内側に配置される固定軸１０３を備えている。この固定軸１０３と回転円筒１０２との間には、軸方向に所定の距離を隔てて第１玉軸受１０５と第２玉軸受１０６が配置されている。
【０００３】
上記第１玉軸受１０５の内輪１０７は、固定軸１０３に締り嵌め固定されており、固定軸１０３の先端に螺合したナット１０８と固定軸１０３に締り嵌め固定された円筒スペーサ１１０とに軸方向両側から挟まれて軸方向に固定されている。また、第１玉軸受１０５の外輪１１１は、回転円筒１０２の内周段部１０２Ａと円筒スペーサ１１２とで軸方向両側から挟まれ、かつ、回転円筒１０２の内周に締り嵌めされて固定されている。
【０００４】
また、上記第２玉軸受１０６の外輪１１３は、上記円筒スペーサ１１２と別の円筒スペーサ１１５とで軸方向両側から挟まれ、かつ、回転円筒１０２の内周に締り嵌めされて固定されている。一方、第２玉軸受１０６の内輪１１６は、円筒スペーサ１１０に一端が係合した予圧スプリング１１７の他端が係合しており、この予圧スプリング１１７で固定基部１１８に向かって付勢されている。また、この内輪１１６は、固定軸１０３に対して摺動可能なようにすきま嵌めされている。
【０００５】
この回転陽極Ｘ線管は、第１,第２玉軸受１０５,１０６で、回転陽極ターゲット１０１が固定された回転円筒１０２を、固定軸１０３に対して回転自在に支持する。
【０００６】
ところで、Ｘ線管では、回転陽極ターゲット１０１が２０℃程度の常温から４００℃程度の高温まで温度変化し、回転円筒１０２も同様に温度変化して膨張と収縮が起こる。これに伴い、第１玉軸受１０５の外輪１１１と第２玉軸受１０６の外輪１１３との間の軸方向距離が伸縮する。すると、この２つの外輪１１１と１１３との軸方向距離の伸縮に応じて、第２玉軸受１０６の内輪１１６が、予圧スプリング１１７で付勢されながら、固定軸１０３に対して軸方向にスライドする。これにより、回転円筒１０２の熱膨張と熱収縮に起因する第２玉軸受１０６の外輪１１３の軸方向位置変動に、内輪１１６を追随させて、玉１２０を外輪１１３,内輪１１６間の正しい軌道に常に位置させるようにしている。
【０００７】
【発明が解決しようとする課題】
ところが、上記従来の回転陽極Ｘ線管では、第２玉軸受１０６の内輪１１６が固定軸１０３に対して摺動するときに、固定軸１０３の外周面に引っ掛かってスムーズにスライドできないことがある。この場合、玉１２０を外輪１１３と内輪１１６の間の正しい軌道に位置させることができなくなり、軸受機能が損なわれるという問題がある。
【０００８】
そこで、この発明の目的は、Ｘ線管の回転陽極の温度変化によって、回転陽極に連なる回転部が軸方向に伸縮したときに、内輪または外輪が回転部または固定部に対して円滑に摺動でき、外輪と内輪の軸方向相対位置を常に不変に維持できる回転陽極Ｘ線管を提供することにある。
【０００９】
【課題を解決するための手段】
上記目的を達成するため、請求項１の発明の回転陽極Ｘ線管は、回転陽極ターゲットを支持する回転部と、この回転部に対して同軸上に配置された固定部との間に軸方向に所定の距離を隔てて配置される第１および第２の転がり軸受を有し、
上記第１の転がり軸受と第２の転がり軸受の間に配置されると共に上記第１および第２の転がり軸受の内輪同士または外輪同士を相互に軸方向に付勢するスプリングを備えると共に、
上記第１、第２の転がり軸受のいずれか一方は、内輪または外輪のいずれか一方が上記回転部または固定部のいずれか一方に軸方向に沿って摺動可能に設けられ、
上記回転部または固定部のいずれか一方に対して摺動する上記内輪または外輪のいずれか一方の摺動面に、この摺動面を滑らかに摺動させるためのダイヤモンドライクカーボンの薄膜がコーティングされており、上記摺動面は面取りが形成され、この面取りの角がダイヤモンドライクカーボンで覆われていることを特徴としている。
【００１０】
この請求項１の発明では、Ｘ線管の回転陽極の温度変化による熱膨張(または熱収縮)によって、回転陽極に連なる回転部が軸方向に伸縮し、外輪または内輪の軸方向位置が変化したときに、内輪または外輪にコーティングされたダイヤモンドライクカーボンの薄膜が、回転部または固定部に対して円滑に摺動できる。したがって、外輪と内輪の軸方向相対位置を常に不変に維持でき、転動体を常に適性な位置に配置でき、軸受動作を安定,確実に維持できる。
【００１１】
【発明の実施の形態】
以下、この発明を図示の実施の形態により詳細に説明する。
【００１２】
図１に、この発明の回転陽極Ｘ線管の実施の形態を示す。このＸ線管は、回転陽極ターゲット１が固定された回転軸２と、この回転軸２の外側を囲む固定円筒３とを備えている。この回転軸２と固定円筒３との間には、軸方向に所定の距離を隔てて第１玉軸受５と第２玉軸受６が配置されている。
【００１３】
上記第１玉軸受５は、回転軸２の外周面に形成された周溝７と、固定円筒３の内周面８に対して締り嵌めされた外輪１０と、外輪１０と周溝７の間に配置された複数の玉１１とからなる。この第１玉軸受５の外輪１０は、軸方向の一方の端面１０Ａが固定円筒３の内周段部３Ａに当接しており、他方の端面１０Ｂがスプリング１６の一端１６Ａに当接している。このスプリング１６の他端１６Ｂはスプリング受け１７を第２玉軸受６の方向に付勢し、スプリング受け１７は第２玉軸受６の外輪１３を軸方向に付勢している。
【００１４】
また、第２玉軸受６は、回転軸２の外周面に形成された周溝１２と、固定円筒３の内周面８に対して摺動自在に緩み嵌めされた外輪１３と、外輪１３と周溝１２の間に配置された複数の玉１５とからなる。この第２玉軸受６の外輪１３は、軸方向の一方から上記スプリング受け１７で付勢され、外輪１３の軸方向の他端１３Ｂが、固定円筒３の開口端近傍に形成された周溝３Ｂに嵌めた止め輪２１に所定間隔を隔てて対向している。また、図２に示すように、上記外輪１３は、固定円筒３の開口側が面取りされていて、外輪１３の外周面１３Ａは、上記開口側に向かって先すぼみになっている。そして、外輪１３の外周面１３Ａつまり摺動面１３Ａにダイヤモンドライクカーボンの薄膜２０がコーティングされている。なお、上記第１,第２玉軸受５,６は固体潤滑剤で潤滑されている。
【００１５】
上記構成のＸ線管は、真空中で動作し、回転陽極ターゲット１が回転され、回転軸２が回転する。この回転軸２を、上記第１玉軸受５と第２玉軸受６とで、固定円筒３に対して、回転自在に支持する。
【００１６】
ところで、Ｘ線管が動作すると、上記回転陽極ターゲット１は温度が上昇し、回転軸２の温度が上昇する。これにより、回転軸２が熱膨張し、周溝７と１２の間隔が広がり、スプリング受け１７で付勢されている第２玉軸受６の外輪１３は、回転軸２が伸びた分だけ止め輪２１に向かって変位する。ここで、上記第２玉軸受６の外輪１３の外周面１３Ａには、ダイヤモンドライクカーボンの薄膜２０がコーティングされているから、第２玉軸受６の外輪１３は固定円筒３の内周面８に対して滑らかにスライドすることができる。したがって、外輪１３と周溝１２の軸方向相対位置を常に不変に維持でき、玉１５を常に適性な位置に配置でき、軸受動作を常に安定,確実に維持できる。また、図２に示すように、外輪１３の外周面１３Ａは面取りされて開口側に向かって先すぼみ形状であり、かつ、面取りの角Ｐが上記薄膜２０で覆われて滑らかになっているから、外輪１３は内周面８に対して一層滑らかにスライドできる。
【００１７】
尚、上記実施の形態では、円筒３を固定とし、軸２を回転させたが、円筒３に回転陽極ターゲット１を固定して回転させ、軸２を固定してもよい。また、上記実施形態では、第１,第２玉軸受５,６が内輪を有していなかったが、回転軸２の周溝７,１２を無くして、内輪を設けても良い。さらには、従来例(図３)のように、外輪を回転する円筒に固定とし、内輪を固定軸に対して摺動可能にしてもよい。
【００１８】
【発明の効果】
以上より明らかなように、請求項１の発明の回転陽極Ｘ線管は、Ｘ線管の回転陽極の温度変化による熱膨張(または熱収縮)によって、回転陽極に連なる回転部が軸方向に伸縮し、外輪または内輪の軸方向位置が変化したときに、内輪または外輪にコーティングされたダイヤモンドライクカーボンの薄膜が、回転部または固定部に対して円滑に摺動できる。したがって、外輪と内輪の軸方向相対位置を常に不変に維持でき、転動体を常に適性な位置に配置でき、軸受動作を安定,確実に維持できる。
【００１９】
【図面の簡単な説明】
【図１】  この発明の回転陽極Ｘ線管の実施の形態の要部断面図である。
【図２】  上記実施の形態の第２転がり軸受の外輪の要部断面図である。
【図３】  従来の回転陽極Ｘ線管の要部断面図である。
【符号の説明】
１…回転陽極ターゲット、２…回転軸、３…固定円筒、３Ａ…内周段部、
３Ｂ…周溝、５…第１玉軸受、７,１２…周溝、８…内周面、
１０,１３…外輪、１０Ａ,１０Ｂ…端面、１３Ａ…外周面(摺動面)、
１３Ｂ…他端、１１,１５…玉、２０…薄膜。
【図１】
0003877895.tif 000002
【図２】
0003877895.tif 000003
【図３】
0003877895.tif 000004